(57)【特許請求の範囲】
【請求項１】
上枠と、複数の引戸障子と、上枠に設けた連動装置とを備え、上枠は、見込み方向に間隔をあけて垂下し各引戸障子の移動を案内するガイドレールを有し、各引戸障子は、ガイドレールの下端が入り込む溝部と、上方に向けて付勢してあり且つ引戸障子の上端よりも上方位置で上下動自在に設けた連結部とを有し、連動装置は、上枠のガイドレール間でスライド自在に上枠に取付けてあり、引戸障子の開閉方向に移動自在な複数の被連結部を有し、各被連結部には対応する障子の連結部が連結してあり、一の引戸障子の連結部が一の引戸障子の見込み面に取付けてあり、他の引戸障子の連結部が他の引戸障子の一の引戸障子側見付け面に取付けてあることを特徴とする引戸。
【発明の詳細な説明】
【技術分野】
【０００１】
本発明は、引戸に関する。
【背景技術】
【０００２】
引戸障子の上端を上枠のガイドレールで案内するタイプの引戸において、複数の引戸障子を連動させる連動装置を備える引戸が公知である。この種の引戸において、特許文献１に開示の引戸では、一の引戸障子と他の引戸障子の下部の見付け面に連動装置を組み込んで、一の引戸障子と他の引戸障子が連動するようにしている。また、特許文献２に開示の引戸では、一の引戸障子の上框に連動装置を内蔵し、連動装置を他の引戸障子の上框に連結して一の引戸障子と他の引戸障子を連動するようにしている。
【先行技術文献】
【特許文献】
【０００３】
【特許文献１】実用新案登録第２５７７３４８号公報
【特許文献２】特開２００６−１０４８８１号公報
【発明の概要】
【発明が解決しようとする課題】
【０００４】
しかし、特許文献１の技術では、連動装置が目視できるので引戸の意匠が損なわれるという問題がある。また、特許文献１及び２の技術では、引戸障子の加工が複雑になりコスト高になるという問題がある。
【０００５】
そこで、本発明は、引戸障子の上端を上枠のガイドレールで案内する引戸において、引戸の意匠を損なわず且つ複雑な加工もせずに、複数の引戸障子を連動できる引戸の提供を目的とする。
【課題を解決するための手段】
【０００６】
請求項１に記載の発明は、上枠と、複数の引戸障子と、上枠に設けた連動装置とを備え、上枠は、見込み方向に間隔をあけて垂下し各引戸障子の移動を案内するガイドレールを有し、各引戸障子は、ガイドレールの下端が入り込む溝部と、上方に向けて付勢してあり且つ引戸障子の上端よりも上方位置で上下動自在に設けた連結部とを有し、連動装置は、上枠のガイドレール間でスライド自在に上枠に取付けてあり、引戸障子の開閉方向に移動自在な複数の被連結部を有し、各被連結部には対応する障子の連結部が連結してあり、一の引戸障子の連結部が一の引戸障子の見込み面に取付けてあり、他の引戸障子の連結部が他の引戸障子の一の引戸障子側見付け面に取付けてあることを特徴とする引戸である。
【発明の効果】
【０００７】
請求項１に記載の発明によれば、連動装置は上枠のガイドレール間に取付けてあるので、連動装置を上枠にコンパクトに設けることができる。
各引戸障子には連動装置との連結部を設けるだけであるから、各引戸障子に複雑な加工が不要である。
連動装置は上枠のガイドレール間に設けてあり、且つ引戸障子の連結部は、一の引戸障子ではその見込み面に設けて、他の障子には一の引戸障子側の見付け面に設けているので、連動装置及び連結部が目視され難いため、引戸の意匠を損なわない。特に、他の障子側から引戸を見た場合には、連結部がほとんど目視されない。
【図面の簡単な説明】
【０００８】
【図１】本発明の実施の形態にかかる引戸におけるスライダーの図であり、（ａ）は平面図、（ｂ）は（ａ）に示すＡ−Ａ断面図であり、（ｃ）は正面図であり、（ｄ）は底面図であり、（ｈ）は（ｄ）に示すＥ−Ｅ断面図である。
【図２】本発明の実施の形態にかかる引戸における外障子及び内障子と、連動装置との関係を示す平面図である。
【図３】本発明の実施の形態にかかる引戸に用いる連結具の図であり、（ａ）は正面図であり、（ｂ）は平面図である。
【図４】図６において、外障子及び内障子を開口部の開き側に寄せた状態をＡ−Ａ位置で切断して示す縦断面図である。
【図５】図６に示すＢ−Ｂ縦断面図である。
【図６】本発明の実施の形態にかかる引戸の横断面図である。
【発明を実施するための形態】
【０００９】
以下に、添付図面の図１〜図６を参照して本発明の実施の形態を詳細に説明する。本実施の形態に係る引戸１は、玄関引戸であり、図４〜図６に示すように、外障子（一の引戸障子）３と、内障子（他の引戸障子）５と、袖パネル７と、アコーディオン網戸９とを枠内１１に備えている。
引戸１の上枠１３には、スライダー（連動装置）１５が取付けてあり、図２に示すように、外障子３と内障子５とがスライダー１５により連結されている。スライダー１５は、引戸開閉アシスト装置であり、外障子３の開閉操作に連動して内障子５が同方向に移動するものである。尚、図２ではアコーディオン網戸９は省略している。
【００１０】
図４に示すように、上枠１３は、見込み方向に間隔をあけてガイドレール１４、１４が垂下してある。
上枠１３の下面には、ガイドレール１４、１４間にスライダー１５を取付けるスライダー保持溝２２が形成されている。スライダー保持溝２２は、ガイドレール１４、１４が溝壁を兼ねており、溝底２２ａには、スライダー１５を移動自在に保持するスライダー保持部材４５がねじ５３により固定してある。
スライダー保持部材４５には、スライダー本体２５（後述する）を移動自在に保持する溝状のスライダー本体保持部５２と、スライダー１５の被連結部３７（後述する）の移動を案内する溝状の案内部５１が形成されている。
即ち、上枠１３には、ガイドレール１４、１４間にスライダー１５が引戸の開閉方向にスライド自在に取付けてある。
【００１１】
各引戸障子３、５には、上端にガイドレール１４の下端が入り込む溝部１６が設けてあり、各引戸障子３、５はガイドレール１４、１４に案内されて移動するようになっている。
図２に示すように、外障子３の戸尻側見込み面３ａにはスライダー１５と連結する一方の連結具１７ａが取付けてあり、内障子５の戸尻側部５ａの外障子側見付け面にはスライダー１５と連結する他方の連結具１７ｂが取付けてある。
図３に示すように、各連結具１７ａ、１７ｂは、各々障子３、５とは別体の連結具であり、各障子３、５にねじ１８で固定して、ねじはカバー２０で覆ってある。連結具１７ａ、１７ｂは各々、本体１９と本体１９から上下動自在に設けた連結部材（連結部）２１とを有し、連結部材２１はばね２３により上方に向けて付勢されている。各連結部材２１は各々、外障子３又は内障子５の上端よりも上方位置で上下動自在である。
図４に示すように、外障子３に設けた連結部材２１及び内障子５に設けた連結部材２１は、共にガイドレール１４、１４間に位置しており且つ各連結部材２１、２１の上端は、スライダー保持溝２２よりも室外側と室内側に設けてある上枠１３の下端水平片部２４、２４と略同じ位置か下端水平片部２４よりも上方に配置されている。
換言すれば、上枠１３のスライダー保持溝２２の溝底２２ａは、スライダー保持部材４５とスライダー１５を取付けた状態で、スライダー１５の被連結部３５、３７の下面が上枠１３の下端水平片部２４と略同じ位置か又は上方に位置している。
【００１２】
図１及び図２に示すように、スライダー１５は、スライダー本体２５と、連動部材２７とを備えている。スライダー本体２５にはその長手方向の両側端部の上面に各々プーリ２９が設けてあり、プーリ２９には無端線材３１が掛け渡されており、無端線材３１には連動部材２７と、上枠１３に係止する係止部材３３とが取付けてある。この構成により、連動部材２７はスライダー本体２５に対してスライダー本体２５の長手方向に相対的に連動する。
図１に示すように、スライダー本体２５の両側端部には、各々内障子５の連結部材２１に連結する被連結部３５、３５が設けてあり、連動部材２７には外障子３の連結部材２１に連結する被連結部３７が設けてある。
【００１３】
図１（ｃ）（ｄ）（ｈ）に示すように、連動部材２７の被連結部３７は、その側面に連結部材２１の移動を案内するテーパ部３９が設けてあり、下面には連結部材２１が嵌合する嵌合凹部４１と案内溝４２とが設けてある。テーパ部３９は、スライダー本体２５の長手方向において、嵌合凹部４１の両側に設けてあり、案内溝４２はテーパ部３９と嵌合凹部４１との間に設けてあり連結部材２１をテーパ部３９から嵌合凹部４１に案内している。
【００１４】
図１（ｂ）（ｃ）に示すように、スライダー本体２５の被連結部３５には、下面には嵌合凹部４３が形成されており、嵌合凹部４３の周囲の面はスライダー本体２５の底面と面一になっている。
図４に示すように、係止部材３３は、上枠１３の下面に嵌り込んで上枠１３に係止してある。また、上枠１３の下面には、スライダー本体２５を移動自在に保持するスライダー保持部材４５が固定してあり、保持部材４５に設けた係合部４７にスライダー本体２５の被係合４９が係合されている。また、保持部材４５には連動部材２７の移動を案内する溝状の案内部５１が形成されている。
尚、図４〜図６に示す符号６２は、ストッパーである。
【００１５】
次に、本実施の形態にかかる引戸１の施工、作用効果について、説明する。
まず、図２に示すように、外障子３の戸尻側見込み面３ａの上框に連結具１７ａを取付け、内障子５の上框において、戸尻側部５ａの外障子側見付け面に連結具１７ｂを取付ける。
一方、図４〜図６の枠１１内に袖パネル７及びアコーディオン網戸９を取付けた状態において、図４に示すように、上枠１３の下面には、スライダー１５の被係合部４９をスライダー保持部材４５に係合して障子の開閉方向から挿入して、スライダー１５の係止部材３３を上枠１３に形成した係止穴に係止し、ガイドレール１４、１４間にスライダー保持部材４５をねじ５３で取り付ける。
次に、枠１１内に内障子５を室外側からけんどん方式で建て込むが、内障子５の建て込む際には、内障子５が開いたときに戸尻側の戸当たりに当たる位置よりも閉じ側の位置で且つ連結部材２１の上端をスライダー本体２５の下面に当接させて建て込む。その後、外障子３をけんどん方式で枠１１内に建て込むが、本実施の形態では、外障子３は図１（ｃ）に示すように、外障子３の連結具１７ａが連動部材２７よりも障子閉じ側の位置で建て込む。
【００１６】
次に、外障子３を開き方向に移動する。これにより、図１（ｃ）に示すように、連結具１７ａから連結部材２１が突出した状態のまま外障子３はスライダー１５に添ってＭ方向に移動し、連結部材２１の上端が連動部材２７の側面のテーパ部３９に当接する。外障子３を更にＭ方向に移動すると、連結部材２１がテーパ部３９の傾斜に沿って押し下げられ、下面に達すると、図１（ｄ）（ｈ）に示すように案内溝４２に嵌めて仮連結する。
【００１７】
仮連結後、外障子３を障子の閉じ側に移動する。これにより、図１（ｃ）に示すように、内障子５に対して、スライダー１５が障子の閉じ方向であるＮ方向へ移動することにより、内障子５の連結部材２１に対してスライダー本体２５の下面がＮ方向にスライド移動して、内障子５の連結部材２１の上端がスライダー本体２５の嵌合凹部４３に嵌合する。
その後、外障子３を障子開き側に移動すると、連結具１７ａの連結部材２１が案内溝４２を滑り、嵌合凹部４１に嵌合する。
引戸の開閉操作は、図２（ａ）に示す閉じ位置から外障子３を開くと、これに連動して内障子５も開き方向へ移動し、図２（ｂ）に示すように開き状態になる。また、外障子５を開き位置から閉じ位置へ移動すると内障子５も連動して閉位置へ移動する。
【００１８】
本実施の形態によれば、スライダー１５は上枠１３のガイドレール１４、１４間に取付けてあるので、スライダー１５を上枠１３にコンパクトに設けることができる。
外障子３及び内障子５には、連結具１７ａ、１７ｂを取付けるだけであるから、外障子３及び内障子５に複雑な加工が不要である。
スライダー１５は上枠１３のガイドレール１４、１４間に設けてあり、且つ外障子３ではその見込み面に連結具１７ａを設け、内障子５には外障子側の見付け面に連結具１７ｂを設けているので、スライダー１５及び連結具１７ａ、１７ｂが目視され難いため、引戸の意匠を損なわない。
【００１９】
連結部２１、２１はガイドレール１４、１４間に配置しているから、障子３、５の移動の際にガイドレール１４、１４と連結部２１、２１が干渉するのを防止できる。
上枠１３のスライダー保持溝２２の深さは、溝底２２ａに、スライダー保持部材４５とスライダー１５を取付け状態で、スライダー１５の被連結部３５、３７の下面が上枠１３の下端水平片部２４と略同じ位置か又は上方に位置する深さにしてあるので、更に、スライダー１５及び連結部２１、２１が目視されに難い。
上枠１３の下面では、スライダー１５をスライダー保持部材４５に障子の開閉方向から挿入して係合して、スライダー保持部材４５を取付けるので、上枠１３に対してスライダー１５の取付けが容易にできる。
外障子３及び内障子５の連結部材２１、２１が連結するスライダー１５の被連結部３５、３７は各障子３、５よりも上方位置で連結するので、この点においても、連結部材２１、２１やスライダー１５が目視され難くいから引戸の意匠を損ねない。
外障子３に設けた連結具１７ａとスライダー１５の連動部材２７との連結は、外障子３を障子の開方向又は閉方向に移動することにより連結部材２１が上下動して連結できるから、外障子３とスライダー１５との連結が容易にできる。
更に、内障子５の連結部材２１をスライダー本体２５の下面に当接させて建て込んだ後に、外障子３を建て込み、スライダー１５の連動部材２７に外障子３を先に仮連結しているので、外障子３を閉じ側に移動するだけで、内障子５とスライダー１５との連結が容易にできる。
【００２０】
外障子３及び内障子５の見付け面に従来技術（特許文献１）のような加工が不要であると共に連結具１７ａ、１７ｂを外障子３及び内障子５に後付けしているから、各障子３、５の加工をほとんどしないで済む。
スライダー１５を上枠１３に取付け、外障子３及び内障子５に連結具１７ａ、１７ｂを取り付けるだけで、外障子３と内障子５とにスライダー１５の機能を容易に付与することができる。
【００２１】
本発明は、上述した実施の形態に限らず、本発明の要旨を逸脱しない範囲で種々変形可能である。
例えば、連結具１７ａ、１７ｂは各々障子３、５の上框に内蔵して、上框の上端から連結部材２１を突出させるものであっても良い。
【符号の説明】
【００２２】
１    引戸
３    外障子（一の引戸障子）
５    内障子（他の引戸障子）
１３  上枠
１４  ガイドレール
１５  スライダー（連動装置）
１６  溝部
２１  連結部材（連結部）
３５  被連結部
３７  被連結部
【図１】
0006034578.tif 000002
【図２】
0006034578.tif 000003
【図３】
0006034578.tif 000004
【図４】
0006034578.tif 000005
【図５】
0006034578.tif 000006
【図６】
0006034578.tif 000007